(57)【特許請求の範囲】
【請求項１】
基板と、
該基板上から外方へ突出する頸部と該頸部より大きく形成されて突出側の外端面が湾曲面に形成された頭部とからなる合成樹脂製のレール部と、
該レール部の頸部および頭部に嵌合可能な蟻溝形状の溝部を有するランナー部と、
該ランナー部の溝部に僅かに突出して該溝部の延出方向に沿って延びており、レール本体と接触して摺動時に摩擦抵抗を調整してランナー部の摺動速度を調整しうる抵抗部と、
前記ランナー部に固定されるホルダー部とからなって、
前記ランナー部は、レール本体の頭部の上からレール本体に嵌着され、レール本体に沿って摺動しうることを特徴とする物品収納構造体。
【請求項２】
レール部が、基板に固定されたレールベース部と、
該レールベース部の中央で外方へ突出する頸部と該頸部より大きく形成された断面略円形状または断面略楕円形状の頭部とからなるレール本体とからなることを特徴とする請求項１に記載の物品収納構造体。
【請求項３】
基板が可撓性を有する素材からなっており、
レール部のレールベース部が基板に一体に形成され、または縫着されており、
レール部が基板と共に撓みうることを特徴とする請求項２に記載の物品収納構造体。
【請求項４】
ランナー部が断面矩形のブロックからなって、内面の中央で開口する溝部を有しており、
レールベース部に、レール部の頭部と平行に延びて、前記ランナー部の摺動方向の縁部に対応する位置でランナー部の摺動方向の縁部の内面との間に空隙を形成するための補助溝部を設けてなることを特徴とする請求項１、２または３のいずれかに記載の物品収納構造体。
【請求項５】
ランナー部は、金属またはレール部より硬質の合成樹脂からなっていることを特徴とする請求項１、２または３のいずれかに記載の物品収納構造体。
【請求項６】
物品収納構造体が、かばん類および袋物に収納されて複数の被収納物を区分けして収納する小物類収納具からなっていることを特徴とする請求項１から５のいずれかに記載の物品収納構造体。
【発明の詳細な説明】
【技術分野】
【０００１】
本発明は、かばん類その他の各種収納空間に複数のホルダー部を基板に設けて被収納物を整理する物品収納構造体に関する。
【背景技術】
【０００２】
かばん類や袋物などでは、多数の収納物が雑然と収納されるため、必要な時にすぐに物を取り出すことができない欠点がある。
そこで、例えば、特開２０００−２３６９２９号では、物品を出し入れするための開閉可能な開口を少なくともその上端に開口させてなる鞄等の収納空間に配置され該収納空間を仕切るために用いられるものであって、小物等を保持するためのホルダ部材を、前記収納空間の少なくとも上部に位置する壁面に、取付部を介して位置変更可能に取付け得るように構成しており、正面視長方形状をなし、その長辺部分及び短辺部分にそれぞれ取手を設けてあり、長辺部分に設けた取手は横長の収納空間から取り出すときに使用し、短辺部分に設けた取手は縦長の収納空間から取り出すときに使用する収納用仕切が提案されている。
しかし、上記構成では、ホルダー部を壁面に位置変更可能に取付けるために一対の面ファスナーを用いているが、面ファスナーではホルダー部が上下に並んだ際に、上にあるホルダー部を横にずらして下にあるホルダー部から被収納物を取り出すことはできず、いちいちホルダー部を壁面から外す必要があった。
また、面ファスナーによる係合であるため、一旦係合したホルダー部の位置を微調整することはできず、壁面から外して改めて位置決めしなければならいという不具合があった。
面ファスナーに替えて凹凸係合するホックの一方をホルダー部に取付け、他方を壁面に取り付ける構造も知られているが、この場合もホルダー部の位置を動かすには上記と同様の問題があった。
【特許文献１】特開２０００−２３６９２９号
【発明の開示】
【発明が解決しようとする課題】
【０００３】
この発明は上記実情に鑑みてなされたもので、その主たる課題は、ホルダー部を基板に着脱でき且つ一方向に摺動することができる収納構造を提供することにある。
【課題を解決するための手段】
【０００４】
上記課題を解決するために、請求項１の発明では、
基板と、
該基板上から外方へ突出する頸部と該頸部より大きく形成されて突出側の外端面が湾曲面に形成された頭部とからなる合成樹脂製のレール部と、
該レール部の頸部および頭部に嵌合可能な蟻溝形状の溝部を有するランナー部と、
該ランナー部の溝部に僅かに突出して該溝部の延出方向に沿って延びており、レール本体と接触して摺動時に摩擦抵抗を調整してランナー部の摺動速度を調整しうる抵抗部と、
前記ランナー部に固定されるホルダー部とからなって、
前記ランナー部は、レール本体の頭部の上からレール本体に嵌着され、レール本体に沿って摺動しうることを特徴とする。
請求項２の発明では、
前記レール部が、基板に固定されたレールベース部と、
該レールベース部の中央で外方へ突出する頸部と該頸部より大きく形成された断面略円形状または断面略楕円形状の頭部とからなるレール本体とからなることを特徴とする。
請求項３の発明では、
前記基板が可撓性を有する素材からなっており、
レール部のレールベース部が基板に一体に形成され、または縫着されており、
レール部が基板と共に撓みうることを特徴とする。
請求項４の発明では、
前記ランナー部が断面矩形のブロックからなって、内面の中央で開口する溝部を有しており、
レールベース部に、レール部の頭部と平行に延びて、前記ランナー部の摺動方向の縁部に対応する位置でランナー部の摺動方向の縁部の内面との間に空隙を形成するための補助溝部を設けてなることを特徴とする。
請求項５の発明では、
ランナー部は、金属またはレール部より硬質の合成樹脂からなっていることを特徴とする。
請求項６の発明では、
前記物品収納構造体が、かばん類および袋物に収納されて複数の被収納物を区分けして収納する小物類収納具からなっていることを特徴とする。
【発明の効果】
【０００５】
この発明はホルダー部をホックのようにワンタッチで基板に着脱ができるので、ホルダー部の取付や取外しが容易となり、またホルダー部をレールに沿ってスライドさせることで、容易に他のホルダー部内に収納された被収納物を取り出すことができる。
また、レール部は、合成樹脂からなっているので、耐久性に優れ、着色やメッキなどの装飾が容易であり、また熱可塑加工により端部処理をしたり、レール形状に段部を設け部分的に抵抗を設けるなどの加工を施すこともできる。
更に、基板が可撓性を有する場合には、基板と共に撓ませることができるので、任意の収納空間で利用することができる。
また、従来のホックと異なりグリップする力の調整が可能になる。
【発明を実施するための最良の形態】
【０００６】
この発明は、レール部にその頭部の上からランナー部の溝部をワンタッチで嵌め込んでホルダー部をレール部に取り付けることができ、このホルダー部はレール部に沿って自在に摺動することで取付、取外しの容易性と、位置変更の容易性とを実現した。
以下に、この発明の物品収納構造体を鞄やハンドバッグなどのかばん類や袋物などの収納空間内に収納される小物類収納具に適用した場合の実施の形態について図を参照しながら説明する。
【実施例１】
【０００７】
図１および図２に示す小物類収納部１は、基板２と、該基板２に固定された合成樹脂製のレール部３と、該レール部３に嵌合するランナー部８と、該ランナー部８に固定されるホルダー部１２とからなっている。
【０００８】
［基板］
基板２は、プレート状のベースであって、かばん類等の収納空間に収納される。
本実施例では、基板２はかばん類や袋物等に収納されるので、その素材は可撓性を有することが好ましい。
収納空間となるかばん類など共に撓んだり、これらから取り出す際に取り出しやすくするためである。
本実施例では、板紙や折り重ねた布材、または合成樹脂板を芯材とし、布カバーで覆って装飾した構成からなっているが、この発明では単なる板状に形成されていればよく、独立した板状体でも、あるいは物の一部の壁面を構成するものであってもよい。
【０００９】
［レール部］
レール部３は弾性、可撓性を有する合成樹脂からなっており、図３および図４に示すように、レールベース部４とレール本体５とからなっている。
レールベース部４は、帯状体からなっており、厚みを均一としてもよいが、表面が中央に向かって徐々に且つ僅かに隆起する傾斜面１４とすることが好ましい。
図示例では、レールベース部４は、縦１２ｍｍ、横５００ｍｍ、厚みを１．４ｍｍとした場合に、上記傾斜面１４は約０．１ｍｍ程度の高低差となっているが、この発明では上記数値に限定されるものではない。
【００１０】
そして、上記レールベース部４には、その中央で長手方向に沿ってレール本体５が一体に突設されている。
レール本体５は、レールベース部４から外方へ立ち上がる頸部６と、該頸部６より大きく形成された断面略円形状の頭部７とからなっている。
【００１１】
一例を示すと、頸部６は２．３ｍｍの幅で、０．８５ｍｍの突出長さとし、頭部７は３．２ｍｍの幅で、１．８ｍｍの突出長さとするので、レール本体５の突出全長Ｈは２．６５ｍｍに設定されるが、この場合も上記数値に限定されるものではない。
【００１２】
ここで頭部７は断面略円形状としたが、この形状は後述のランナー部８が挿入しやすく抜けにくい形状であればよく、断面略楕円形状、あるいは、少なくとも突出側の外端部分が湾曲面となる形状であって、頸部６との間に段差が生じる形状であればよい。
そして、前記レールベース部４は、その両側で前記基板２に縫合Ｓされてレール部３を固着している。
本実施例では、レール部３は、基板２と別体で、縫着された例を示したが、この発明では接着剤や固定具を用いてレールベース部４を基板２に固定するものでもよく、あるいは溶着するものでもよい。
更に、基板２にレール部３を一体に形成するものであってもよい。この場合、レールベース部４を設けてもよいが、基板２をレールベース部として基板２からレール本体５が直接に突出する構成であってもよい。
【００１３】
レール部３は合成樹脂製なので、任意の着色や、メッキ、各種コーティングを施すことができ、装飾性に優れる。
合成樹脂は熱により容易に変形しうるので、例えばレール本体５の端部に熱を加えて潰すことにより、レール部３の端部処理をしてランナー部８の抜け落ちを防止することができる。
更に、レール部３の頭部７に熱を加えて、等間隔に段部を加工することで、ランナー部８の摺動に際しての摩擦抵抗を変化させ、レール部３の摺動にクリック感を与えるなどの加工を容易に遂行することができる。
【００１４】
［ランナー部］
ランナー部８は、本実施例では断面矩形のブロックからなって、その内面で中央に沿って開口し前記レール本体５に嵌合可能な蟻溝形状の溝部９を有している。
ランナー部８の一例を示すと、縦３．６ｍｍ、横２０ｍｍまたは２２ｍｍ、厚みを３．３ｍｍとする直方体のブロックからなっており、溝部９は、底面に２，５〜２．７ｍｍの開口幅で開口部９ａを有しており、また溝部９の最大幅は３．１〜３．６ｍｍに設定され、深さは２．６ｍｍに設定されているが、この発明では上記数値に限定されるものではない。
【００１５】
本実施例でランナー部８は、金属製であるが、合成樹脂であってもよく、その場合にはレール部３より硬質のものが好ましい。
また、上記ランナー部８の外面には、後述のホルダー部１２を固着するために折り曲げて使用される一対の取付片１０が設けられている。
【００１６】
［ホルダー部］
ホルダー部１２は、例えば、携帯電話や眼鏡、筆記用具、キーケースなどの被収納物Ｇを収納するもので、例えば大小各種サイズのものを用意しておくことが好ましい。
そして、ホルダー部１２には、前記取付片１０が係止または固着されてランナー部８が取り付けられる。
【００１７】
［使用法］
上記構成からなっているので、使用に際しては、ホルダー部１２に被収納物を収納する。
ホルダー部１２が、基板２から分離されている場合には、該ホルダー部１２に固着されたランナー部８の溝部９を、レール本体５の任意の位置で頭部７の上から嵌め込むことでホルダー部１２がレール部３に装着される。
【００１８】
即ち、ランナー部８はレール部３より硬質なので、溝部９の幅狭の開口部９ａが頭部７を圧縮して撓ませながら頭部７に外嵌し、頭部７は幅広な溝部９内で弾性反発力によって元の形状に戻り、溝部９内に嵌め込まれる。
また、開口部９ａは幅狭な頸部６に対応するので、溝部９とレール本体５とはその断面形状において僅かに隙間が形成されるため、レール本体５に沿ってランナー部８を進退方向に摺動させることができる。
【００１９】
［補助溝部］
ここで、前記レールベース部４には、レール本体５を中心にしてその両側にレール本体５と平行に延びる幅狭で浅い一対の補助溝部４ａが形成されている（図２〜図４参照）。
該補助溝部４ａは、前記ランナー部８の摺動方向、図示例では長手方向の縁部に対応する位置に配設されており、前記レールベース部４の傾斜面と共に、その表面がランナー部８の内面と密着して大きな摩擦抵抗を生じないように空隙を形成する構成となっている。
【００２０】
［抵抗部］
一方、ランナー部８の溝部９には、前記レール本体５との摺動速度を調整するために抵抗部１１を設けることができる。
この抵抗部１１は、例えば溝部９の溝底部９ｂから極く僅か、例えば０．０５〜０．１５ｍｍ程度突出させて、レール本体５の頭部７との隙間の一部を無くして衝合させるので、前記突出量を調整して素材の弾性や硬度等に応じた摩擦抵抗に調整してランナー部８の摺動速度を適宜に変更することができる。
上記実施例では抵抗部１１を溝底部９ｂに形成したが、抵抗部１１はレール本体５と接する個所であれば溝部９の任意の内壁面に形成してもよい。
この抵抗部１１は溝部９の内壁面に沿って延出方向に一連に形成されるものであっても、あるいは溝部９の一部にだけ形成されるものであってもよく、必要とする摩擦抵抗に相応しい形状とすることができる。
【００２１】
上記実施例では、かばん類や袋物に収納する小物類収納具に用いた場合を説明したが、この発明では、基板を壁面に固定するものであってもよい。
あるいは基板は壁面そのものであってもよい。
更に、被収納物は、台所用品、文房具、化粧品、日用品、部品類などその種類や用途を選ばす広く適用することができ、これらを収納、整理するための構造としてもよい。
【００２２】
また、被収納物は小物に限定されず、大型の物や重量物であってもよく、レール部やランナー部の素材や強度を被収納物に対応して高めればよい。
また、ホルダー部の形状は、被収納物を保持しうるものであればよく、ポケット形状に限定されない。
その他、要するにこの発明の要旨を変更しない範囲で種々設計変更しうること勿論である。
【図面の簡単な説明】
【００２３】
【図１】実施例１の小物類収納具の正面図である。
【図２】レール部とランナー部の係合状態を示す断面図である。
【図３】レール部の斜視図である。
【図４】レール部の側面図である。
【図５】ランナー部の斜視図である。
【図６】ランナー部の断面図である。
【符号の説明】
【００２４】
１    小物類収納具
２    基板
３    レール部
４    レールベース部
４ａ  補助溝部
５    レール本体
６    頸部
７    頭部
８    ランナー部
９    溝部
９ａ  開口部
９ｂ  溝底部
１０    取付片
１１    抵抗部
１２    ホルダー部
【図１】
0005166787.tif 000002
【図２】
0005166787.tif 000003
【図３】
0005166787.tif 000004
【図４】
0005166787.tif 000005
【図５】
0005166787.tif 000006
【図６】
0005166787.tif 000007